(57)【要約】【課題】車両用カップホルダーに収まるコンパクトな吸殻入れとしつつ、長尺なスティックであっても、多くのスティックをスムーズに収容することのできる吸殻入れを提供する。【解決手段】スティック４０の投入口１４を設けた蓋部１２と、スティック４０を溜める収容部１８とを有する吸殻入れ１０であって、収容部１８には、一方の側壁２０ａから底面２２へ向かって傾斜する滑り面２４と、滑り面２４の下端部を基点として底面２２から離間する方向に傾斜を有し、他方の側壁２０ｂに向けて延設されている揃え面２６とが備えられ、揃え面２６よりも滑り面２４の割合が大きく、投入口１４は、滑り面２４側の上部に位置することを特徴とする。【選択図】図２
2019119359.tif 000002
【特許請求の範囲】
【請求項１】
吸殻の投入口を設けた蓋部と、前記吸殻を溜める収容部とを有する吸殻入れであって、
前記収容部には、側壁から底面へ向かって傾斜する滑り面と、前記滑り面の下端部を基点として前記底面から離間する方向に傾斜を有し、前記側壁と反対側に位置する側壁に向けて延設されている揃え面とが備えられ、
前記揃え面よりも前記滑り面の割合が大きく、前記投入口は、前記滑り面側の上部に位置することを特徴とする吸殻入れ。
【請求項２】
前記収容部には、前記滑り面と前記揃え面との接触部に直交する方向に設けられた仕切り部が備えられ、
前記蓋部には、前記収容部における前記仕切り部により区分けされた範囲毎に前記投入口が設けられていることを特徴とする請求項１に記載の吸殻入れ。
【請求項３】
前記投入口には、前記滑り面と同じ方向に傾斜を有するガイドが設けられていることを特徴とする請求項１または２に記載の吸殻入れ。
【請求項４】
吸殻の投入口を備えた蓋部と、前記吸殻を溜める収容部とを有する吸殻入れにおける前記収容部に配置される底板部材であって、
設置状態において、前記収容部の側壁から前記収容部の底面へ向かって傾斜する滑り面と、前記滑り面の下端部を基点として前記底面から離間する方向に傾斜を有し、前記側壁と反対側に位置する側壁に向けて延設されている揃え面とが設けられ、
前記揃え面よりも前記滑り面の割合が大きく、前記滑り面が前記投入口の下部に位置することを特徴とする底板部材。
【請求項５】
前記滑り面と前記揃え面との接触部に直交する方向に仕切り部が設けられていることを特徴とする請求項４に記載の底板部材。
【発明の詳細な説明】
【技術分野】
【０００１】
本発明は、吸殻入れに係り、特に、電子タバコの吸殻入れとして好適な吸殻入れ、およびこの吸殻入れに設置可能な底板部材に関する。
【背景技術】
【０００２】
タバコは、嗜好品の１つとして普及しているが、嫌煙ムードが高まってきている昨今では、有害副流煙の影響が少ないとされる電子タバコ（加熱式タバコ）が普及してきている。電子タバコは、副流煙の影響の他、灰の飛散や、火種の落下が無いといった利点から、車両内での利用にも高い関心が持たれている。
【０００３】
そうした中、問題となるのが吸殻である。近年、車両には、吸殻入れが標準装備されなくなり、カップホルダーなどに配置することのできるタイプの吸殻入れが種々提案されている。こうした後付けの吸殻入れは、その機能性の他、デザイン性も求められ、例えば特許文献１に開示されているもののように、灰を落とす部分と落とされた灰や吸殻を溜める部分を隠すように蓋が設けられているものが多い。
【０００４】
電子タバコの吸殻も、基本的には、こうした従来の吸殻入れを利用することができる。しかし、電子タバコは、従来の燃焼式のタバコと異なり、タバコスティック（以下、単にスティックと称す）の長さが使用前と使用後（吸殻）で変化が無いという特徴がある。このため、従来の吸殻入れを利用した場合、内部でスティックが乱雑に重なり合い、収容量的に余裕があるにも関わらず、吸殻を入れられる数が少なく、吸殻を処理する頻度が高くなるといった事態が生じる。
【０００５】
吸殻の収容量を増やす点については、例えば特許文献２に開示されているように、吸殻の投入口と、吸殻収容部の形態に工夫を凝らす事が提案されている。具体的には、吸殻の投入口に対し、吸殻を投入口の長手方向に沿うように投入する形態とし、収容部の底部には、投入された吸殻が転がる方向に傾斜を持たせた傾斜面を備える構成としている。このような構成とする事で、収容部に入れられた吸殻は、同一方向に整列し、最小限の隙間を持って積み重ねられることとなる。
【先行技術文献】
【特許文献】
【０００６】
【特許文献１】特開２０１７−１９００１５号公報
【特許文献２】特開２０１１−４２３４７号公報
【発明の概要】
【発明が解決しようとする課題】
【０００７】
特許文献２に開示されているような特徴を有する吸殻入れであれば、確かに、収容部に投入された吸殻間に生じる隙間が小さくなり、多くの吸殻を収容することができるようになると考えられる。
【０００８】
しかし、上述したように、電子タバコのスティックは、使用前と使用後において、その長さに変化が無く、しかも長尺のスティックも存在する。特許文献２に開示されている吸殻入れの構成を、長尺のスティックに対応させた場合、吸殻入れが大きなものとなってしまい、車両のカップホルダー等に収まらなくなってしまう。
【０００９】
そこで本発明では、車両用カップホルダーに収まるコンパクトな吸殻入れとしつつ、長尺なスティックであっても、多くのスティックをスムーズに収容することのできる吸殻入れ、および吸殻入れに設置可能な底板部材を提供することを目的とする。
【課題を解決するための手段】
【００１０】
上記目的を達成するための本発明に係る吸殻入れは、吸殻の投入口を設けた蓋部と、前記吸殻を溜める収容部とを有する吸殻入れであって、前記収容部には、側壁から底面へ向かって傾斜する滑り面と、前記滑り面の下端部を基点として前記底面から離間する方向に傾斜を有し、前記側壁と反対側に位置する側壁に向けて延設されている揃え面とが備えられ、前記揃え面よりも前記滑り面の割合が大きく、前記投入口は、前記滑り面側の上部に位置するようにすると良い。
【００１１】
また、上記のような特徴を有する吸殻入れにおいて前記収容部には、前記滑り面と前記揃え面との接触部に直交する方向に設けられた仕切り部が備えられ、前記蓋部には、前記収容部における前記仕切り部により区分けされた範囲毎に前記投入口が設けられているようにすると良い。このような特徴を有する事によれば、長尺な吸殻が横方向に倒れ込む事を防ぐ事ができる。このため、収容部内に収容された吸殻が整列収容されることとなり、吸殻の収容数を増やすことができる。
【００１２】
また、上記のような特徴を有する吸殻入れにおいて前記投入口には、前記滑り面と同じ方向に傾斜を有するガイドが設けられると良い。このような特徴を有する事により、投入口周辺に押し付けられた吸殻が、ガイドに沿って投入口の孔に導かれることとなる。よって、投入口を注視する事なく吸殻を投入することが可能となる。
【００１３】
また、上記目的を達成するための本発明に係る底板部材は、吸殻の投入口を備えた蓋部と、前記吸殻を溜める収容部とを有する吸殻入れにおける前記収容部に配置される底板部材であって、設置状態において、前記収容部の側壁から前記収容部の底面へ向かって傾斜する滑り面と、前記滑り面の下端部を基点として前記底面から離間する方向に傾斜を有し、前記側壁と反対側に位置する側壁に向けて延設されている揃え面とが設けられ、前記揃え面よりも前記滑り面の割合が大きく、前記滑り面が前記投入口の下部に位置することが望ましい。
【００１４】
また、上記のような特徴を有する底板部材は、前記滑り面と前記揃え面との接触部に直交する方向に仕切り部が設けられているようにすると良い。このような特徴を有する事によれば、収容部内において長尺な吸殻が横方向に倒れ込む事を防ぐ事ができる。このため、収容部内に収容された吸殻が整列収容されることとなり、吸殻の収容数を増やすことができる。
【発明の効果】
【００１５】
上記のような特徴を有する吸殻入れ、車両用カップホルダーに収まるコンパクトな吸殻入れとしつつ、長尺なスティックであっても、多くのスティックをスムーズに収容することができる。また、上記のような特徴を有する底板部材によれば、既存の吸殻入れであっても、多数の長尺なスティックをスムーズに収容することが可能となる。
【図面の簡単な説明】
【００１６】
【図１】実施形態に係る吸殻入れの外観構成を示す正面図である。
【図２】図１におけるＡ−Ａ断面を示す図である。
【図３】図１におけるＢ−Ｂ断面を示す図である。
【図４】収容部を平面視した際の形態を示す図である。
【図５】実施形態に係る吸殻入れにスティックを投入した際のスティックの動きを説明するための図である。
【図６】実施形態に係る吸殻入れにスティックが収容される状態を説明するための図である。
【図７】揃え面の作用、効果を説明するための図である。
【図８】仕切り部の作用、効果を説明するための図である。
【図９】仕切り部に縦型スリットを入れた場合の例を示す図である。
【図１０】仕切り部に横型スリットを入れた場合の例を示す図である。
【図１１】実施形態に係る底板部材の形態を示す正面図である。
【図１２】実施形態に係る底板部材の平面構成を示す図である。
【発明を実施するための形態】
【００１７】
以下、本発明の吸殻入れ、および底板部材に係る実施の形態について、図面を参照して詳細に説明する。なお、以下に示す実施の形態は、本発明を実施する上で好適な形態の一部であり、各要素について、その機能を発揮する事ができる範囲で形態上の変更を加えたとしても、本発明の一部とみなすことができる。また、以下の実施形態において吸殻とは、比較的長尺な電子タバコのスティックにおける吸殻を意図するものである。
【００１８】
［吸殻入れ全体・蓋部］
まず、図１から図１０を参照して、本実施形態に係る吸殻入れについて説明する。本実施形態に係る吸殻入れ１０は、蓋部１２と収容部１８とを基本として構成されている。なお、図面では、提示部の混乱を避けるため、説明に支障の無い範囲で適宜、断面図におけるハッチングを省略している。
【００１９】
蓋部１２は、詳細を後述する収容部１８に設けられる上部開口部を覆う要素であり、吸殻（以下、スティック４０と称す）の投入口１４が設けられている。実施形態に係る蓋部１２は、平面視において、ほぼ円形の体を成し、外縁近傍の線対称な位置に、２つの投入口１４を設けている。各投入口１４は、詳細を後述する収容部１８に設けられる傾斜面である滑り面２４の上部側に位置する部位に設けられている。
【００２０】
また、各投入口１４には、ガイド１６が設けられている。ガイド１６は、滑り面２４と同じ方向に傾斜を有する板片であれば良い。投入口１４にガイド１６を設けることにより、投入口１４の周囲に押し付けられたスティック４０を投入口１４へ誘導することができる。これにより、スティック４０を投入する際、投入口１４を注視する必要がなくなる。また、ガイド１６によって誘導されたスティック４０は、投入口１４に対して所定の方向に傾斜した状態で投入されることとなる。これにより、収容部１８に収容されるスティック４０の方向を揃え易くすることができる。
【００２１】
［収容部］
収容部１８は、スティック４０を溜める役割を担う部位であり、側壁２０（２０ａ，２０ｂ）と底面２２を有する。実施形態に係る収容部１８は、蓋部１２の形態に合わせ、側壁２０が円筒状に形成されている。収容部１８には、滑り面２４と、揃え面２６、及び仕切り部２８が備えられている。
【００２２】
滑り面２４は、収容部１８を構成する一方の側壁２０ａから底面２２へ向かう傾斜面であり、揃え面２６は、滑り面２４の下端部を基端として底面２２から離間する方向に傾斜する傾斜面である。揃え面２６は、滑り面２４の基端部となる側壁（一方の側壁２０ａ）と反対側に位置する側壁（他方の側壁２０ｂ）を終端として構成される。
【００２３】
ここで、実施形態に係る収容部１８のように、側壁が円筒状（円に近い筒状も含む）に形成されている場合における一方の側壁２０ａと他方の側壁２０ｂとは、例えば図４に示すように収容部１８を平面視した場合、側壁を構成する円弧部を４つの象限に区分けすることで、その識別（定義）を行うことができる。図４に示す例の場合では、第３象限と第４象限に相当する位置の側壁２０を、一方の側壁２０ａとすることができ、第１象限と第２象限に相当する位置の側壁２０を、他方の側壁２０ｂと定義することができる。
【００２４】
滑り面２４と揃え面２６は、一方の側壁２０ａと他方の側壁２０ｂそれぞれから、底面２２に向けて谷型となる傾斜面を構成することとなる。そして、滑り面２４は、揃え面２６に比べ、その面積の割合が大きくなるように構成されている。つまり、滑り面２４と揃え面２６の境界部は、中心よりも他方の側壁２０ｂ側に寄ることとなる。
【００２５】
また、収容部１８と蓋部１２の相対的な位置関係を見た場合、投入口１４が、滑り面２４側の上部に位置することとなる。このような配置関係とすることで、図５に示すように、収容部１８へ投入されたスティック４０の先端は、最初に滑り面２４に接触することとなる。滑り面２４に接触した先端にスティック４０の重量がかかると、滑り面２４の傾斜によって、先端は傾斜方向（谷側）へスライドする。長尺物のスティック４０において、先端が滑り面２４の谷側へスライドした場合、慣性、あるいは反力の作用によりスティック４０の後端は、一方の側壁２０ａ側へ倒れ込むこととなる。このような事象が、投入口１４から投入されるスティック４０に連続的に作用する。これにより、収容部１８内に収容されるスティック４０の傾倒方向が揃えられ、小さな収容容積内に多くのスティック４０を収容することが可能となる。
【００２６】
また、図６に示すように、蓋部１２と収容部１８の相対的な位置関係について、投入口１４が、滑り面２４側の上部であって、一方の側壁２０ａから離れた位置にくるように構成した場合、図６において一点鎖線で示す収容スペースＰにスティック４０を溜めることで、投入口１４から投入されるスティック４０と、収容スペースに溜まったスティック４０が干渉することが無く、スティック４０をスムーズに投入することが可能となる。なお、実施形態に示す吸殻入れ１０のように、収容部１８に比べて蓋部１２の口径が大きくなるようなデザインとした場合であっても、図４に二点鎖線で示すように、投入口１４の位置が滑り面２４側の上部に位置する事に変わりない。
【００２７】
揃え面２６は、収容部１８に収容されるスティック４０の先端位置を調整し、傾倒して重なり合うスティック４０の高さを抑える役割を担う要素である。具体的事例について、図７に示す。図７を参照すると、図７（Ａ）に示す揃え面２６有りの場合に比べ、図７（Ｂ）に示す揃え面２６無しの場合は、重なり合ったスティック４０のうち、上部に位置するスティック４０のせり出し長さが長くなっている事が判る。その結果、重なり合ったスティック４０全体の高さが高くなっている。このため、吸殻入れ１０全体の高さを抑えたい場合には、揃え面２６の存在が、特に優位に働くこととなる。
【００２８】
ここで、滑り面２４の傾斜角度θ１（図６参照）は、収容部１８に投入されるスティック４０が滑り効果を得る事ができる程度の角度とすると良い。つまり、傾斜角度θ１の下限値は、滑り面２４を構成する材質（摩擦係数）などにより異なり、上限値は、側壁２０の立ち上がり角度未満とする。当然に、摩擦係数が低ければ、傾斜角度θ１の下限値は小さくなり、摩擦係数が大きければ、傾斜角度θ１の下限値は大きくなる。
【００２９】
また、滑り面２４と揃え面２６の成す角θ２（図６参照）は、概ね９０度とすれば良いが、揃え面２６の立ち上がりが側壁２０の立ち上がりよりも緩やかな角度になる範囲であれば、厳密に定める必要は無い。上述した揃え面２６としての効果を奏することができるからである。
【００３０】
仕切り部２８は、収容部１８内の空間を仕切り、スティック４０の倒れ込み方向を規制する役割を担う要素である。仕切り部２８は、収容部１８を平面視した際の中心を通り、かつ滑り面２４と揃え面２６との接触部に直交する方向に配置される。仕切り部２８は、一方の側壁２０ａから他方の側壁２０ｂまで連続して設けられている事が望ましいが、例えば図９に示すように、仕切り部２８の一部にスリットを設けるようにしても良い。また、図１０に示すように、少なくとも上部と端部の移動規制ができる構成であれば、仕切り部２８を１枚の板状体とする必要性も無い。
【００３１】
仕切り部２８を設ける事により、次のような効果を得ることができる。収容部１８に投入されたスティック４０は、滑り面２４や揃え面２６の作用により、一方の側壁２０ａ側に傾いて収容された状態となる。しかし、滑り面２４や揃え面２６によってスティック４０の動きが規制されるのは、傾き方向だけであり、傾斜面と交差する方向の動きは規制されていない。このため、仕切り部２８が無い場合には、図８（Ａ）に示すように、スティック４０の一部が倒れ込む場合がある。スティック４０がこのような状態で収容されると、次に収容部１８に投入されたスティック４０は、この倒れ込んだスティック４０の上部に重なることとなり、スティック４０とスティック４０の間に無用な隙間を生じさせ、所定空間内におけるスティック４０の収容量を減らす結果となってしまう。
【００３２】
これに対し、図８（Ｂ）に示すように、仕切り部２８を設けた場合には、スティック４０が滑り面２４と揃え面２６の接触部に対して傾斜する方向へ倒れ込むことを抑制することができる。これによりスティック４０を整列させた状態で収容することができ、スティック４０間に無用な隙間が生じることを抑制し、収容量の増大を図ることができる。
【００３３】
このような構成の仕切り部２８を設けた場合、実質的に収容部１８の内部空間が分割されることとなる。このため、蓋部１２には、仕切り部２８によって分割された内部空間それぞれに対応した投入口１４を設けるようにしている。このような構成とすることにより、内部空間毎にスティック４０を整列収容することが可能となり、多くのスティック４０をスムーズに収容することが可能となる。
【００３４】
本実施形態に係る吸殻入れ１０は、スティック４０を縦方向に投入する形態を採っている。このため、前提要件として、滑り面２４と揃え面２６の接触部から投入口１４までの高さが、スティック４０の長さよりも長くなる。このような構成とする事により、投入口１４からスティック４０が飛び出す事なく収容することができる。
【００３５】
［効果］
このような特徴を有する事により、実施形態に係る吸殻入れ１０は、車両用カップホルダーに収まるコンパクトなものとしつつ、長尺なスティック４０であっても、多くのスティック４０を収容することが可能となる。なお、収容部１８や蓋部１２の平面形態については、その利用形態に応じて、矩形や、その他の多角形、楕円等とすることができる。
【００３６】
［底板部材］
次に、図１１、図１２を参照して、本実施形態に係る底板部材について説明する。なお、図１１は、実施形態に係る底板部材の構成、および使用形態を示す側面図であり、図１２は、底板部材の構成を示す平面図である。
【００３７】
底板部材３０は、図１１に示すように、蓋部１２と収容部１８ａから成る吸殻入れ１０ａにおける収容部１８ａの底部に設置する要素である。なお、本実施形態に係る吸殻入れ１０ａは、既存の吸殻入れを想定している。このため、収容部１８ａは、単にスティック４０を収容するスペースを有する容器として表現している。
【００３８】
実施形態に係る底板部材３０は、滑り面２４と揃え面２６、および仕切り部２８を有する。なお、滑り面２４と揃え面２６、および仕切り部２８の構成、作用、効果については、上述した吸殻入れ１０と同様であるため、各要素についての詳細な説明は省略する。
【００３９】
このような構成を有する底板部材３０は、これを既存の吸殻入れ１０ａの収容部１８ａに設置することで、上記実施形態に係る吸殻入れ１０と同様に、蓋部１２の投入口１４から投入されたスティック４０が整列収容されることとなる。よって、車両用カップホルダーに収まるコンパクトなものとしつつ、長尺なスティック４０であっても、多くのスティック４０を収容することができるようになる。
【００４０】
また、実施形態に係る底板部材３０は、必ずしも収容部１８ａに隙間なく収まるサイズでなくとも良い。すなわち、収容部１８ａの側壁２０と底板部材３０との間にできる隙間にスティック４０が嵌る事が無い状態であれば、同様な効果を奏する事ができるからである。
【００４１】
なお、このような構成の底板部材３０には、図示しない回り止めを設けるようにして、滑り面２４と揃え面２６、および仕切り部２８の位置決めを図るようにすると良い。ここで、回り止めとは、凹凸嵌合や、ねじ止め、及び粘着材など、特に限定することなく、種々採用することができる。また、滑り面２４と揃え面２６における基点となる側壁については、収容部１８ａに対して底板部材３０を設置した状態における収容部１８ａの側壁２０と仮定する。
【符号の説明】
【００４２】
１０，１０ａ………吸殻入れ、１２………蓋部、１４………投入口、１６………ガイド、１８，１８ａ………収容部、２０………側壁、２０ａ………一方の側壁、２０ｂ………他方の側壁、２２………底面、２４………滑り面、２６………揃え面、２８………仕切り部、３０………底板部材、４０………スティック。
【図１】
2019119359.tif 000003
【図２】
2019119359.tif 000004
【図３】
2019119359.tif 000005
【図４】
2019119359.tif 000006
【図５】
2019119359.tif 000007
【図６】
2019119359.tif 000008
【図７】
2019119359.tif 000009
【図８】
2019119359.tif 000010
【図９】
2019119359.tif 000011
【図１０】
2019119359.tif 000012
【図１１】
2019119359.tif 000013
【図１２】
2019119359.tif 000014